(57)【要約】【課題】  車椅子を利用する利用者に対する車椅子の利便性を向上させるための補助具の提供するものである。【解決手段】  車椅子用補助具Ａは、車椅子に利用者が着座した状態で前記利用者と前記車椅子を一体的に保持するべく前記利用者の胴体と前記車椅子の背もたれの外側に巻き付けられて前記利用者の腹部前方で接合・離反可能なベルト部１と、このベルト部１から垂下して前記利用者の下腹部を覆いながら前記利用者の股間から下方へ降りてベルト部１が上方へ移動することを抑制する前垂部２と、前記車椅子の走行に支障が生じない強固な個所に係止されると共に前記前垂部２に固定される連結部３とを有し、利用者が車椅子から落ちることを防止しつつ、利用者が自由に装着・脱着することができる。【選択図】図１
0003208751.tif 000002
【実用新案登録請求の範囲】
【請求項１】
車椅子に利用者が着座した状態で前記利用者と前記車椅子を一体的に保持するべく前記利用者の胴体と前記車椅子の背もたれの外側に巻き付けられて前記利用者による接合・離反可能なベルト部と、このベルト部から垂下して前記利用者の下腹部を覆いながら前記利用者の股間から下方へ降りる前垂部と、前記車椅子の走行に支障が生じない強固な個所に係止されると共に前記前垂部に固定される連結部とを有することを特徴とする車椅子用補助具。
【請求項２】
前記ベルト部は、前記利用者の腹部前方で接合・離反可能な構成であることを特徴とする請求項１に記載した車椅子用補助具。
【考案の詳細な説明】
【技術分野】
【０００１】  本考案は、高齢者、身体障害者などの自力走行困難者たる車椅子の利用者に対する車椅子の利便性を向上させるための補助具に関するものである。
【背景技術】
【０００２】  斯かる車椅子は、特許文献１や特許文献２などで広く知られている。【０００３】  また、車椅子の利便性を向上させるため、特に、車椅子の座面から利用者が前傾ずり落ち防止のため、特許文献３では、利用者の胸当て部を設けることが開示されている。
【先行技術文献】
【特許文献】
【０００４】
【特許文献１】  特開２０１６−７４０４号公報
【特許文献２】  特開２０１６−１５８８６４号公報
【特許文献３】  特開２００１−４６４３９号公報
【考案の概要】
【考案が解決しようとする課題】
【０００５】  ところで、特許文献３では、利用者を車椅子に固定させるための胸当て部を装着する際に、胸当て部の胸部抑制帯のウエストベルトと肩ベルトを利用者の背後で手が届きにくい車椅子の背もたれの後で固定する構成であるため、利用者本人が装着や取り外すことは非常に困難であった。
【課題を解決するための手段】
【０００６】  本考案は、車椅子に利用者が着座した状態で前記利用者と前記車椅子を一体的に保持するべく前記利用者の胴体と前記車椅子の背もたれの外側に巻き付けられて前記利用者による接合・離反可能なベルト部と、このベルト部から垂下して前記利用者の下腹部を覆いながら前記利用者の股間から下方へ降りる前垂部と、前記車椅子の走行に支障が生じない強固な個所に係止されると共に前記前垂部に固定される連結部とを有することにより、利用者が車椅子から落ちることを防止しつつ、利用者が自由に装着・脱着することができる補助具の提供することにより、車椅子を利用する利用者に対する車椅子の利便性を向上させることができる。【０００７】  また、前記ベルト部は、前記利用者の腹部前方で接合・離反可能な構成であることにより、前記ベルト部の固定個所が前記利用者の腹部の略中央に位置することになり、安定した状態で装着できるもので、一層利用者の利便性に優れている。
【考案の効果】
【０００８】  利用者が車椅子から落ちることを防止しつつ、利用者が自由に装着・脱着することができる車椅子用補助具を提供することができる。
【図面の簡単な説明】
【０００９】
【図１】  本考案の実施例の分解図である。
【考案を実施するための形態】
【００１０】  車椅子に利用者が着座した状態で前記利用者と前記車椅子を一体的に保持するべく前記利用者の胴体と前記車椅子の背もたれの外側に巻き付けられて前記利用者による接合・離反可能なベルト部と、このベルト部から垂下して前記利用者の下腹部を覆いながら前記利用者の股間から下方へ降りる前垂部と、前記車椅子の走行に支障が生じない強固な個所に係止されると共に前記前垂部に固定される連結部とを有し、特に、前記ベルト部は、前記利用者の腹部前方で接合・離反可能な構成である。
【実施例】
【００１１】  以下、本考案の実施例を図面に基づいて説明する。【００１２】  車椅子用補助具Ａは、ベルト部１、前垂部２、連結部３とから構成されている。【００１３】  ベルト部１は、全長が約１５０センチ、幅が約１５センチの丈夫なデニム素材からなる帯部分１ａを主体とし、この帯部分１ａにより利用者を車椅子側へ押し付けるべく利用者の腹部前方の固定個所Ｘで重なるように「マジックテープ（登録商標）」「Ｖｅｌｃｒｏ（登録商標）」などと称される雄型面ファスナー１ｂおよび雌型面ファスナー１ｃが対面状態で取り付けられており、固定個所Ｘにて帯部分１ａが接合・離反可能となるように雄型面ファスナー１ｂおよび雌型面ファスナー１ｃの横方向長さは各５０センチくらいの余裕を持って設けられている。【００１４】  前垂部２は、ベルト部１が上方へ移動することを抑制するために、ベルト部１と同素材でベルト部１の固定個所Ｘの下端から垂下する略逆三角形状の前抑え部２ａと、前抑え部２ａの下端から延びる帯状の接続部分２ｂとから構成された全長が約６０センチであり、接続部分２ｂの末端近くには装着用穴２ｃが設けられている。【００１５】  連結部３は、車椅子用補助具Ａを固定するために、接続部分２ｂと同様な全長が約３０センチの係止部分３ａと、この両端に装着した樹脂製のサイドワンタッチプッシュ式のバックル（例えば、特開２０１４−８３１２号公報参照）の雄型バックル３ｂおよび雌型バックル３ｃと、係止部分３ａを挿通して保持する金属製のカラビナ（例えば、特開２０１１−５０６８９号公報参照）３ｄとが設けられている。【００１６】  以下、車椅子用補助具Ａの使用例を説明する。【００１７】  車椅子に利用者が着座した状態で利用者と車椅子を一体的に保持する、すなわち、車椅子の座面から利用者が前方へ容易に滑り落ちないようにするために利用者の胴体と車椅子の背もたれの外側にベルト部１の帯部分１ａを巻き付ける。【００１８】  次に、ベルト部１の帯部分１ａの固定個所Ｘが利用者の腹部前方の略中央（例えば、臍前位置あたり）に位置するように合わせて輪状態になるように雄型面ファスナー１ｂと雌型面ファスナー１ｃを接合させる。【００１９】  次に、前垂部２の前抑え部２ａが利用者の下腹部を覆いながら接続部分２ｂを利用者の股間から下方へ降ろす。【００２０】  次に、連結部３の雄型バックル３ｂと雌型バックル３ｃの一方を車椅子の走行に支障が生じない強固な個所（例えば、特許文献１のクロスメンバー３４、３６、あるいは、特許文献２のＸ字型の構造７５）に係止部分３ａを巻き付け配置して雄型バックル３ｂと雌型バックル３ｃを係合させる。【００２１】  最後に、係止部分３ａを保持するカラビナ３ｄを前垂部２の接続部分２ｂの装着用穴２ｃに挿通することで、車椅子用補助具Ａの装着が完了する。【００２２】  車椅子用補助具Ａは、ベルト部１の帯部分１ａにより、利用者は車椅子の背もたれ方向へ押されるため、車椅子の走行などの振動により車椅子の座面から利用者が前方へ容易に滑り落ちないように作用する。【００２３】  車椅子用補助具Ａの使用を止める場合には、雄型バックル３ｂおよび雌型バックル３ｃの解除、カラビナ３ｄの解放にて可能であるが、雄型面ファスナー１ｂと雌���面ファスナー１ｃとを離反させることで簡単に利用者は車椅子から解放される。【００２４】  特に、帯部分１ａの固定個所Ｘが利用者の腹部前方で手の届く位置にあることから、利用者の意図で利用者が固定個所Ｘの雄型面ファスナー１ｂと雌型面ファスナー１ｃとを操作するだけで、利用者は車椅子から自由になり、車椅子用補助具Ａと同種作用を有する特許文献３の胸部抑制帯がウエストベルトと肩ベルトとを利用者の背後で固定している構成に比べて利用者の利便性に優れている。【００２５】  また、ベルト部１は、利用者の腹部前方の略中央で接合・離反可能な構成であるため、固定個所Ｘが利用者の腹部の略中央に位置することになり、安定した状態で車椅子用補助具Ａを装着できるもので、一層利用者の利便性に優れている。【００２６】  なお、ベルト部１は、利用者の腹部前方の略中央で接合・離反可能な構成であることが利便性の発揮に最も寄与するものであるが、利用者の腹部前方の略中央から多少左右にずれて位置したとしても、利用者による接合・離反可能な位置であれば同等の利便性を得られるものであり、この場合には、前垂部２がベルト部１の固定個所Ｘではなく、ベルト部１の利用者の腹部前方の略中央に位置する個所に設ける。【００２７】  また、上記で説明した素材や寸法や形状などは、任意に適宜選定できることは言うまでもない。
【符号の説明】
【００２８】  Ａ  車椅子用補助具
１  ベルト部
１ａ  帯部分
１ｂ  雄型面ファスナー
１ｃ  雌型面ファスナー
２  前垂部
２ａ  前抑え部
２ｂ  接続部分
２ｃ  装着用穴
３  連結部
３ａ  係止部分
３ｂ  雄型バックル
３ｃ  雌型バックル
３ｄ  カラビナ
Ｘ  固定個所
【図１】
0003208751.tif 000003